(57)【要約】      （修正有）【課題】展開可能なポケットに重量物を収容してもバッグの自立姿勢を維持できるバッグ及びそのポケットを提供する。【解決手段】ポケット１４は、平坦な底部１２ｃを有し自立可能なバッグ本体１２の側部（例えば、前面板１６）に設けられている。ポケットは、側部に対向する板部材３４と、板部材とバッグ本体の前面板とを伸縮可能に架け渡す蛇腹状襠部３６と、を有している。板部材の底辺３４ｃは、蛇腹状襠部を介してバッグ本体の底部から離間し、かつ、バッグ本体の下端部と同じ高さに設けられている。【選択図】図２
0003230659.tif 000002
【実用新案登録請求の範囲】
【請求項１】
平坦な底部を有し、前記底部により自立可能なバッグ本体と、
前記バッグ本体の側部に設けられ、前記バッグ本体の外方に展開可能なポケットと、を備え、
前記ポケットは、
前記側部に対向する板部材と、
複数の屈曲部が設けられ、前記板部材の側辺及び底辺と前記側部とを伸縮可能に架け渡す蛇腹状襠部と、を有し、
前記板部材の前記底辺が前記蛇腹状襠部を介して前記バッグ本体の前記底部から離間し、かつ、前記板部材の前記底辺が前記バッグ本体の下端部と同じ高さに設けられている、バッグ。
【請求項２】
請求項１記載のバッグであって、前記蛇腹状襠部は、前記板部材の両側辺にそれぞれ接合された第１蛇腹部及び第２蛇腹部と、前記板部材の前記底辺に接合された第３蛇腹部とを有し、前記第３蛇腹部は、前記第１蛇腹部及び前記第２蛇腹部と分離している、バッグ。
【請求項３】
平坦な底部を有し前記底部を通じて自立可能なバッグ本体の側部に設けられ、前記バッグ本体の前記側部から展開可能なポケットであって、
前記バッグ本体の前記側部に対向する板部材と、
複数の屈曲部が設けられ、前記板部材と前記バッグ本体の前記側部とを伸縮可能に架け渡す蛇腹状襠部と、を有し、
前記板部材の底辺が前記蛇腹状襠部を介して前記バッグ本体の前記底部から離間し、かつ、前記板部材の前記底辺が前記バッグ本体の下端部と同じ高さに設けられている、ポケット。
【考案の詳細な説明】
【技術分野】
【０００１】
本考案は、自立可能なバッグ及びそのポケットに関する。
【背景技術】
【０００２】
自立可能なバッグ本体の側部に、小物等を収納可能なポケットを設けたバッグが種々提案されている。例えば、特許文献１には、バッグ本体の側部に複数の仕切板で仕切られた収容室を蛇腹状に展開可能なポケットを備えたバッグが記載されている。
【先行技術文献】
【特許文献】
【０００３】
【特許文献１】実用新案登録第３０７２７５６号公報
【考案の概要】
【考案が解決しようとする課題】
【０００４】
ところが、従来のバッグでは、側部のポケットに、厚手の書類等の重量物を収容すると、バランスを崩して自立姿勢が不安定になるという問題がある。特に、バッグ本体が軽量な場合には、ポケットに収容された物品の重量がバッグ本体の重量よりも大きくなることがあり、バッグの自立姿勢を維持することが困難となってすぐに倒れてしまう。
【０００５】
そこで、本考案は展開可能なポケットに重量物を収容してもバッグの自立姿勢を維持できるバッグ及びそのポケットを提供することを目的とする。
【課題を解決するための手段】
【０００６】
以下の開示の一観点は、平坦な底部を有し、前記底部により自立可能なバッグ本体と、前記バッグ本体の側部に設けられ、前記バッグ本体の外方に展開可能なポケットと、を備え、前記ポケットは、前記側部に対向する板部材と、複数の屈曲部が設けられ、前記板部材の側辺及び底辺と前記側部とを伸縮可能に架け渡す蛇腹状襠部と、を有し、前記板部材の前記底辺が前記蛇腹状襠部を介して前記バッグ本体の前記底部から離間し、かつ、前記板部材の前記底辺が前記バッグ本体の下端部と同じ高さに設けられている、バッグにある。
【０００７】
別の一観点は、自立可能な上記のバッグの側部に設けられる上記ポケットにある。
【考案の効果】
【０００８】
上記観点のバッグ及びそのポケットによれば、展開可能なポケットに重量物を収容してもバッグの自立姿勢を維持できる。
【図面の簡単な説明】
【０００９】
【図１】図１Ａは、第１実施形態に係るバッグの斜視図である。なお、図１Ａは、バッグ内部に配置されるインナープレートを取り外した状態で示す。図１Ｂは、図１Ａのバッグのポケットを展開した状態の斜視図である。
【図２】図２Ａは、図１Ａのバッグの底部側の斜視図であり、図２Ｂは図１Ａのバッグのポケットを展開した状態における側面図である。
【考案を実施するための形態】
【００１０】
以下、本考案に係るバッグ１０及びそのポケット１４について好適な実施形態を挙げ、添付の図面を参照して詳細に説明する。
【００１１】
本実施形態に係るバッグ１０は、図１Ａに示すように、上端が開口した手提げバッグであり、自立可能なバッグ本体１２と、バッグ本体１２の側部に設けられたポケット１４とを有している。
【００１２】
バッグ本体１２は、その側部を構成する前面板１６、背面板１８及び本体襠部２２を有している。前面板１６及び背面板１８は、例えばポリプロピレン樹脂等の硬質な樹脂板よりなり、矩形状に成形されている。前面板１６及び背面板１８は、表面にエンボス加工又はつや消し加工が施されており皮革のような風合いを出す処理が施されている。前面板１６及び背面板１８の縁端部には、縁取り布２０を巻き付けて縫合した縁取り処理が施されている。縁取り布２０は、耐摩耗性に優れた布地よりなり、前面板１６（又は背面板１８）の縁端部を外方から巻き付けるように取り付けて縫合又は溶着等の手法で接合されている。
【００１３】
前面板１６及び背面板１８の上端付近には、それぞれ提げ手３２が接合されている。提げ手３２は、例えば、ナイロン繊維等の帯状の布地であり、その一端と他端とが、前面板１６（背面板１８）の上端付近に縫合されて接合されている。
【００１４】
また、前面板１６には、ポケット１４を閉じた状態に固定するための留め具３３が設けられている。留め具３３は、例えばゴム紐よりなり、ポケット１４のボタン３５に引っ掛けることで、ポケット１４を閉じた状態に固定する。
【００１５】
前面板１６と背面板１８とは、互いに対向するように配置されている。前面板１６の側辺１６ａ、１６ｂと背面板１８の側辺１８ａ、１８ｂとを架け渡すように、本体襠部２２が設けられている。本体襠部２２は、前面板１６の側辺１６ａと背面板１８の側辺１８ａとの間、及び側辺１６ｂと側辺１８ｂとの間を塞いでバッグ本体１２の側面部１２ａ、１２ｂを構成する。本体襠部２２は、例えば、ナイロン繊維等の帯状の布地であり、縁取り布２０の内側に挿入されて縁取り布２０とともに縫合されることで、前面板１６及び背面板１８に接合されている。
【００１６】
図２Ａに示すように、底部１２ｃは、本体襠部２２と同様の布地よりなり、前面板１６の底辺１６ｃと、背面板１８の底辺１８ｃとを架け渡すように設けられた底面生地２３を有する。底面生地２３は、底辺１６ｃ及び底辺１８ｃにおいて、それぞれ縁取り布２０の内側に配置されて縁取り布２０とともに縫合されることで、前面板１６及び背面板１８に接合されている。なお、底面生地２３の側方は、本体襠部２２に縫合して接合されている。なお、底面生地２３は、本体襠部２２と一体的に繋がっていてもよい。
【００１７】
上記の本体襠部２２と底面生地２３とにより、図１Ｂに示すように、バッグ本体１２の側面部１２ａ、１２ｂ、及び底部１２ｃが構成されて収容空間２６が形成される。本体襠部２２及び底面生地２３の奥行き方向の寸法により、バッグ本体１２の厚さ方向の寸法が規定される。図１Ａに示すように、本体襠部２２及び底面生地２３は、奥行き方向に一定の寸法で形成されており、バッグ本体１２を最大限に広げると、バッグ本体１２は直方体状の外観となる。なお、バッグ本体１２の形状は直方体状に限定されるものではなく、上端が奥行き方向に狭くなる台形又は三角形状であってもよい。
【００１８】
本体襠部２２及び底面生地２３の厚さ方向の中央には、折目２５が形成されている。折目２５は、本体襠部２２及び底面生地２３を厚さ方向に折り畳み可能な屈曲部分である。インナープレート３０（後述）を外した状態で、本体襠部２２及び底面生地２３を厚さ方向に折り畳むことができ、バッグ本体１２を薄板状に折り畳んで収納できる。
【００１９】
前面板１６及び背面板１８の上辺と、本体襠部２２の上辺とにより、バッグ本体１２の開口部２８が形成されている。開口部２８からは、収容空間２６に被収容物を出し入れすることができる。図１Ａに示すように、収容空間２６にはインナープレート３０が配置される。インナープレート３０は、例えば、ポリプロピレン樹脂等の硬質の樹脂よりなる。
【００２０】
インナープレート３０は、前面側又は背面側から見てコの字状に形成されており、側板部３０ａ、３０ｂと底板部３０ｃとを有している。側板部３０ａは、バッグ本体１２の側面部１２ａに沿うように配置され、前面板１６と背面板１８に当接することで、側面部１２ａを平板状に形づける。側板部３０ｂは、バッグ本体１２の側面部１２ｂに沿うように配置されて側面部１２ｂを平板状に形づける。また、底板部３０ｃは底部１２ｃに沿って配置され、底部１２ｃを平板状に形づける。
【００２１】
インナープレート３０は、厚さ方向の寸法が、本体襠部２２の厚さ方向の寸法と略同じである。展開状態のインナープレート３０をバッグ本体１２の底部１２ｃ及び側面部１２ｂに配置すると、バッグ本体１２は厚さ方向に展開され立方体状の展開状態に保たれて自立可能となる。インナープレート３０は、開口部２８から取り外し可能であり、インナープレート３０を取り外すと、バッグ本体１２を厚さ方向に折り畳むことができる。
【００２２】
図１Ａに示すように、インナープレート３０の側板部３０ａ、３０ｂはヒンジ部３０ｄを介して底板部３０ｃと繋がっており、側板部３０ａ、３０ｂを底板部３０ｃに重ねるように折り畳むことができる。側板部３０ａ、３０ｂを折り畳むとインナープレート３０は、薄い板状になり、折り畳んだ状態のバッグ本体１２の内部に収納できる。
【００２３】
本実施形態のバッグ１０において、ポケット１４は、バッグ本体１２の前面板１６側に設けられている。なお、ポケット１４は、前面板１６側に限定されるものではなく、背面板１８側に設けてもよい。
【００２４】
図１Ｂに示すように、ポケット１４は、前面板１６に対向して配置された板部材３４と、板部材３４とバッグ本体１２の前面板１６とを伸縮可能に架け渡す蛇腹状襠部３６とを有している。板部材３４は、前面板１６と同様の樹脂素材により形成された硬質の板状部材であり、その幅方向の寸法が前面板１６の幅方向の寸法と同じ大きさの矩形状に形成されている。板部材３４の周縁部は、縁取り布２０で縁取り処理されている。板部材３４の上端付近には、留め具３３を引っ掛けるためのボタン３５が設けられている。ボタン３５は、樹脂よりなり、板部材３４に溶着又はカシメ等の手法で接合されている。
【００２５】
図２Ｂに示すように、板部材３４は、その底辺３４ｃが前面板１６の底辺１６ｃ（バッグ本体１２の下端部）と同じ高さに形成されている。底辺３４ｃは、図２Ａに示すように、底辺１６ｃ（バッグ本体１２の底部１２ｃ）と平行に形成されており、バッグ１０を床面に載置すると、底部１２ｃとともに、板部材３４の底辺３４ｃが床面に当接する。
【００２６】
蛇腹状襠部３６は、分離して設けられた第１蛇腹部３６ａ、第２蛇腹部３６ｂ及び第３蛇腹部３６ｃ（図１Ｂ参照）を有し、それぞれがポケット１４の側面部１４ａ、１４ｂと底部１４ｃとを構成する。第１蛇腹部３６ａは、板部材３４の一方の側辺３４ａと、前面板１６の一方の側辺１６ａとを架け渡す。第２蛇腹部３６ｂは、板部材３４の他方の側辺３４ｂと、前面板１６の他方の側辺１６ｂとを架け渡す。
【００２７】
図２Ａに示すように、第３蛇腹部３６ｃは、板部材３４の底辺３４ｃと前面板１６の底辺１６ｃとを架け渡す。第１蛇腹部３６ａ、第２蛇腹部３６ｂ及び第３蛇腹部３６ｃは、ポリプロピレン樹脂等の可撓性の樹脂シートよりなり、複数の屈曲部３８が形成されている。なお、蛇腹状襠部３６の素材は樹脂シートに限定されるものではなく、紙、皮革、布地、又はゴム素材等の可撓性を有するシート材で形成してもよい。
【００２８】
第１蛇腹部３６ａの屈曲部３８は、前面板１６の側辺１６ａと平行に形成され、第２蛇腹部３６ｂの屈曲部３８は、前面板１６の側辺１６ｂと平行に形成され、第３蛇腹部３６ｃの屈曲部３８は、前面板１６の底辺１６ｃと平行に形成されている。
【００２９】
屈曲部３８は、樹脂シートの厚み方向に対して上下に湾曲するように形付けられており、蛇腹状襠部３６は屈曲部３８の保形性に従って蛇腹状の形状を保つ。また、蛇腹状襠部３６は、屈曲部３８が屈曲することで厚さ方向に伸縮して板部材３４を前面板１６から離間する方向に変位させることができる。第１蛇腹部３６ａ、第２蛇腹部３６ｂ及び第３蛇腹部３６ｃは、互いに離間しており、ポケット１４をフレキシブルに展開できる。
【００３０】
板部材３４の底辺３４ｃは、第３蛇腹部３６ｃを介して、バッグ本体１２の底部１２ｃに繋がっている。第３蛇腹部３６ｃは、屈曲部３８を通じて厚さ方向に伸縮するため、板部材３４の底辺３４ｃは、バッグ本体１２の底部１２ｃから離間可能である。また、第３蛇腹部３６ｃの屈曲部３８のうち下方に突出した屈曲部３８ａは、バッグ本体１２の底部１２ｃの高さと略同じ高さに形成されている。
【００３１】
図１Ｂに示すように、ポケット１４には、前面板１６及び板部材３４と平行に配置された仕切シート４０が設けられている。仕切シート４０は、第１蛇腹部３６ａ及び第２蛇腹部３６ｂに接合されており、ポケット１４を２つの収容室４２に仕切る。仕切シート４０は、１枚に限定されるものではなく、複数枚設けてポケット１４の収容室４２を３室以上に仕切ってもよい。
【００３２】
本実施形態のバッグ１０は、以上のように構成され、以下その作用について説明する。
【００３３】
図１Ａに示すように、バッグ１０は、バッグ本体１２の内部にインナープレート３０が配置されることにより、箱状の形状に維持される。この状態では、バッグ本体１２の底部１２ｃが平坦な形状に保たれ、自立姿勢を保つことができる。バッグ１０のポケット１４は、初期状態において、留め具３３及びボタン３５によりバッグ本体１２側に閉じられている。図１Ｂに示すように、留め具３３を外すと、ポケット１４の蛇腹状襠部３６が屈曲部３８の弾性復元力により自然に広がる。そして、ポケット１４の上端側が開き、収容室４２に小物や書類等の被収容物を収容室４２に出し入れできるようになる。
【００３４】
図２Ｂに示すように、ポケット１４の板部材３４は、その底辺３４ｃが第３蛇腹部３６ｃによって前面板１６（バッグ本体１２）から離間した状態に保たれる。また、板部材３４は、柔軟な蛇腹状襠部３６を介してバッグ本体１２と接続されているため、バッグ本体１２と独立に変位可能となっている。
【００３５】
ポケット１４の収容室４２（図１Ｂ参照）に、厚手の書類等の重量物を収容すると、ポケット１４に重量物の荷重が作用する。本実施形態のポケット１４では、重量物の荷重の一部は蛇腹状襠部３６の第３蛇腹部３６ｃに作用する。第３蛇腹部３６ｃは、荷重によって床面側に押し付けられるようにして変位する。そして第３蛇腹部３６ｃの屈曲部３８ａが床面に当接することで、第３蛇腹部３６ｃに作用する荷重は、屈曲部３８ａを通じて床面に分散される。
【００３６】
第３蛇腹部３６ｃは、第１蛇腹部３６ａ及び第２蛇腹部３６ｂから分離しているため、荷重による第３蛇腹部３６ｃの変位が第１蛇腹部３６ａ及び第２蛇腹部３６ｂに伝わらない。そのため、本実施形態のポケット１４では、重量物の荷重の影響範囲を限定できる。
【００３７】
また、重量物の荷重の一部は、板部材３４に作用する。板部材３４は、底辺３４ｃがバッグ本体１２の下端部と同じ高さに形成されている。そのため、底辺３４ｃが床面に当接して、板部材３４に作用する荷重を床面側に分散できる。また、板部材３４がバッグ本体１２の側方に離間しているため、バッグ本体１２の倒れ込みを防ぐ支持部材としても作用する。そのため、板部材３４は、バッグ本体１２の自立状態を安定化させる。
【００３８】
本実施形態のバッグ１０及びそのポケット１４は、以下の効果を奏する。
【００３９】
本実施形態のバッグ１０は、平坦な底部１２ｃを有し、底部１２ｃにより自立可能なバッグ本体１２と、バッグ本体１２の側部（例えば、前面板１６）に設けられ、バッグ本体１２の外方に展開可能なポケット１４と、を備え、ポケット１４は、側部（例えば、前面板１６）に対向する板部材３４と、複数の屈曲部３８が設けられ、板部材３４の側辺３４ａ及び底辺３４ｃと側部（例えば、前面板１６）とを伸縮可能に架け渡す蛇腹状襠部３６と、を有し、板部材３４の底辺３４ｃが蛇腹状襠部３６を介してバッグ本体１２の底部１２ｃから離間し、かつ、板部材３４の底辺３４ｃがバッグ本体１２の下端部と同じ高さに設けられている。
【００４０】
この構成のバッグ１０によれば、ポケット１４に重量物を収容した場合に、重量物の荷重が板部材３４を通じて床面側に分散される。これにより、ポケット１４が設けられた側のバッグ本体１２の側部に作用する荷重とその反対側の側部に作用する荷重との不釣り合いを抑制できるため、バッグ本体１２の自立姿勢を安定化できる。
【００４１】
上記のバッグ１０において、蛇腹状襠部３６は、板部材３４の両側辺にそれぞれ接合された第１蛇腹部３６ａ及び第２蛇腹部３６ｂと、板部材３４の底辺３４ｃに接合された第３蛇腹部３６ｃとを有し、第３蛇腹部３６ｃは、第１蛇腹部３６ａ及び第２蛇腹部３６ｂと分離してもよい。この構成によれば、重量物の荷重が作用した場合に、第３蛇腹部３６ｃが独立して変位して荷重を分散させることができる。これにより、第１蛇腹部３６ａ及び第２蛇腹部３６ｂを通じてバッグ本体１２を側方に倒す方向の荷重の作用を防ぐことができ、自立姿勢をさらに安定化できる。
【００４２】
上記のバッグ１０において、第３蛇腹部３６ｃの屈曲部３８が、板部材３４の底辺３４ｃ及びバッグ本体１２の下端部と同じ高さに設けられてもよい。この構成によれば、重量物の荷重が第３蛇腹部３６ｃを通じて床面側に分散されるため、バッグ本体１２の一方の側部に作用する荷重をさらに効果的に減らすことができ、自立姿勢をさらに安定化できる。
【００４３】
本実施形態の別の観点は、平坦な底部１２ｃを有し底部１２ｃを通じて自立可能なバッグ本体１２の側部に設けられ、バッグ本体１２の側部（例えば、前面板１６）から展開可能なポケット１４である。このポケット１４は、バッグ本体１２の側部に対向する板部材３４と、複数の屈曲部３８が設けられ、板部材３４とバッグ本体１２の側部とを伸縮可能に架け渡す蛇腹状襠部３６と、を有し、板部材３４の底辺３４ｃが蛇腹状襠部３６を介してバッグ本体１２の底部１２ｃから離間し、かつ、板部材３４の底辺３４ｃがバッグ本体１２の下端部と同じ高さに設けられている。この構成のポケット１４は、バッグ本体１２の自立姿勢を安定化させる。
【００４４】
上記において、本考案について好適な実施形態を挙げて説明したが、本考案に係るポケット構造は、上記実施形態の手提げバッグに限定されるものではなく、平坦な底面を有する自立可能なバッグ全般に適用できる。例えば、ポケット１４は、ハンドバッグ、ブリーフケース、トートバッグ、ショルダーバッグ、クラッチバッグ等にも適用できる。
【符号の説明】
【００４５】
１０…バッグ                      １２…バッグ本体
１２ｃ、１４ｃ…底部              １４…ポケット
３４…板部材                      ３４ｃ…底辺
３６…蛇腹状襠部                  ３６ａ…第１蛇腹部
３６ｂ…第２蛇腹部                ３６ｃ…第３蛇腹部
３８…屈曲部
【図１】
0003230659.tif 000003
【図２】
0003230659.tif 000004